(57)【要約】  【課題】  通信ケーブルで構成される通信線路の特性の評価を安価に、かつ、容易に行なえるようにする。  【解決手段】  中間部分が既設の第１の通信ケーブルで構成されるとともに、両端部分が第１の通信ケーブルよりも漏話特性が改善された第２の通信ケーブル３−２で構成されるような通信線路の特性を評価する方法であって、前記第１の通信ケーブルに代えて、カッド撚り線４を用いて行なうようにしている。【選択図】  図１
2005080328.tif 000002
【特許請求の範囲】
【請求項１】
通信ケーブルで構成される通信線路の特性を評価する方法であって、
前記通信線路の或る区間を、前記通信ケーブルに代えて、カッド撚り線を用いて評価することを特徴とする通信線路の評価方法。
【請求項２】
前記通信ケーブルが、メタルケーブルであって、該メタルケーブルには、ｘＤＳＬの回線を含む複数の回線が共存する請求項１記載の通信線路の評価方法。
【請求項３】
前記複数の回線には、列車の運行に利用される鉄道回線が含まれる請求項２記載の通信線路の評価方法。
【請求項４】
前記カッド撚り線を、前記メタルケーブルの評価すべき回線に接続する請求項２または３記載の通信線路の評価方法。
【請求項５】
前記通信線路を構成する前記通信ケーブルの内、両端部分の通信ケーブルは、中間部分の通信ケーブルに比べて、漏話特性が改善された通信ケーブルであり、前記或る区間が、前記中間部分である請求項１〜４のいずれかに記載の通信線路の評価方法。
【発明の詳細な説明】
【技術分野】
【０００１】
本発明は、通信線路の特性を評価する方法に関し、更に詳しくは、漏話特性の評価に好適な方法に関する。
【背景技術】
【０００２】
近年、アナログ回線用に敷設されているメタルケーブルを使い、音声通話帯域（３００Ｈｚ〜３．４ｋＨｚ）よりも高い周波数帯域を利用して高速なデジタル通信を行なう伝送方式としてｘＤＳＬ（ｘ Ｄigital Ｓubscriber Ｌine：デジタル加入者線）が、インターネット 、鉄道通信、電力通信網等を中心に導入され始めた。
【０００３】
このｘＤＳＬは、既存のメタルケーブルを用いるので、安価に高速なネットワークを構築するのに有効であるが、従来の通信回線には、メタルケーブルの高周波帯域を利用して通信を行なうものがあり、したがって、両者を同一のメタルケーブルに収容したり、あるいは、複数のｘＤＳＬの回線を同一のメタルケーブルに収容して伝送するような場合には、漏話雑音によって互いに干渉を引き起こし、伝送速度が劣化したり、ビットエラーなどの伝送異常が発生する場合がある。
【０００４】
ところで、従来から、互いの干渉を抑制するために、漏話特性の改善を図った通信ケーブルが種々提案されている（例えば、特許文献１参照）。
【特許文献１】特開２００３−１３２７４４号公報
【発明の開示】
【発明が解決しようとする課題】
【０００５】
したがって、漏話特性を改善して干渉を低減した上述のような通信ケーブルを、通信線路の全線に亘って新設したり、張り替えたりすることが考えられる。
【０００６】
しかしながら、複数の通信ケーブルを繋ぎ合わせて構成される通信線路の全線に対して、漏話特性を改善した通信ケーブルを新設したり、張り替えたりすることは、通信ケーブルおよび敷設のコストが高くつくことになって経済的ではない。
【０００７】
そこで、本件出願人は、平成１５年８月２８日提出の特許願「通信線路およびその敷設方法」（特願２００３−３０４１４７）において、漏れた信号が送信側に現れる近端漏話雑音を小さくして干渉を低減するために、送信側に比較的近い部分、すなわち、通信線路の両端部分のみを、漏話特性を改善した通信ケーブルとし、中間部分は、既設の通信ケーブルをそのまま使うことによって、遠端漏話よりも支配的な近端漏話雑音を低減して干渉による伝送品質の劣化を改善する技術を提案している。
【０００８】
図５は、この提案して技術を説明するための概略構成図である。同図において、Ａは、通信ケーブルを引き込む通信機器室であり、各通信機器室Ａは、通信端末として、ケーブルを整理して分配するための主配線盤（ＭＤＦ）１および伝送装置２をそれぞれ備えている。
【０００９】
各通信機器室Ａは、多対のメタルケーブルからなる通信ケーブル３で繋がれており、上述のように、中間部分は、既設の第１の通信ケーブル３−１で構成されるとともに、両端部分は、第１の通信ケーブル３−１に比べて漏話特性を改善した第２の通信ケーブル３−２で構成されている。この図５では、第１の通信ケーブル３−１の両端は、第２の通信ケーブル３−２の各一端とクロージャＢの部分で接続されている。
【００１０】
このように、両端部分の通信ケーブルのみを、既設の通信ケーブル３−１から漏話特性を改善した第２の通信ケーブル３−２に取り替えることによって、送信側に近い程、信号の漏れが大きくなる近端漏話雑音を有効に抑制できることになり、これによって、遠端漏話よりも支配的な近端漏話雑音を低減して干渉による伝送の不具合を改善できるものである。
【００１１】
この図５に示される通信線路では、第１の通信ケーブル３−１と第２の通信ケーブル３−２との長さの比率やケーブル内のどの位置に回線を収容するかといった収容設計などを行なうために、その漏話特性を実験的に測定して評価する必要がある。
【００１２】
この評価を行なうには、実際の現場において、既設の第１の通信ケーブル３−１の両端に、漏話特性を改善した第２の通信ケーブル３−２を実際に繋いで評価するか、あるいは、図４に示されるように、例えば、数ｋｍ程度の長尺の第１の通信ケーブル３−１を作製してドラム９に巻回し、この第１の通信ケーブル３−１の両端の接続部１０に、漏話特性を改善した第２の通信ケーブル３−２を実際に繋いで評価することになる。
【００１３】
しかしながら、いずれもの場合もコストや時間がかかることになり、安価に、かつ、容易に特性を評価できるようにすることが望まれる。
【００１４】
本発明は、上述のような点に鑑みて為されたものであって、通信ケーブルで構成される通信線路の特性の評価を安価に、かつ、容易に行なえるようにすることを目的とする。
【課題を解決するための手段】
【００１５】
本発明は、上述の目的を達成するために、次のように構成している。
【００１６】
すなわち、本発明は、通信ケーブルで構成される通信線路の特性を評価する方法であって、前記通信線路の或る区間を、前記通信ケーブルに代えて、カッド撚り線を用いて評価するものである。
【００１７】
本発明によると、通信線路の或る区間を、通信ケーブルに代えて、カッド撚り線を用いて評価するので、通信ケーブルを用いる場合に比べて、容易に、しかも安価に評価できることなる。しかも、カッド撚り線、すなわち、同一カッドで漏話特性を評価するので、最悪値で評価することができる。
【００１８】
本発明の一実施態様においては、前記通信ケーブルが、メタルケーブルであって、該メタルケーブルには、ｘＤＳＬの回線を含む複数の回線が共存するものである。
【００１９】
ここで、ｘＤＳＬ（ｘ Ｄigital Ｓubscriber Ｌine：デジタル加入者線）とは、ＡＤＳＬ（非対称デジタル加入者線）、ＨＤＳＬ（高速対称デジタル加入者船）、ＶＤＳＬ（超高速デジタル加入者線）、ＳＤＳＬ（対称デジタル加入者線）などの総称である。
【００２０】
この実施態様によると、高速のデータ伝送が可能なｘＤＳＬを含む多数の回線が収容される通信ケーブルに代えて、カッド撚り線を用いて、容易に、かつ安価に漏話特性を評価することができる。
【００２１】
本発明の他の実施態様においては、前記複数の回線には、列車の運行に利用される鉄道回線が含まれるものである。
【００２２】
この実施態様によると、通信ケーブル内には、列車の運行に影響を与える重要な鉄道回線が含まれており、かかる鉄道回線は、一般の通信回線に比べて、雑音環境や長距離伝送などの要求条件が厳しく、カッド撚り線を用いて同一カッド内の最悪条件で評価する本発明の評価方法を実施するのに好適である。
【００２３】
本発明の更に他の実施態様においては、前記カッド撚り線を、前記メタルケーブルの評価すべき回線に接続するものである。
【００２４】
この実施態様によると、２対のカッド撚り線の各一対を、多対のメタルケーブルの評価すべき各一対にそれぞれ接続することにより、回線の組み合わせによる漏話特性を評価することができる。
【００２５】
本発明の好ましい実施態様においては、前記通信線路を構成する前記通信ケーブルの内、両端部分の通信ケーブルは、中間部分の通信ケーブルに比べて、漏話特性が改善された通信ケーブルであり、前記或る区間が、前記中間部分である。
【００２６】
この実施態様によると、送信側に現れる近端漏話雑音を小さくして干渉を低減するために、送信側に近い両端部分の通信ケーブルを、中間部分の通信ケーブルに比べて、漏話特性が改善された通信ケーブルとしているので、中間部分は、既存のケーブルを使用しつつ、漏話雑音を小さくすることができる通信線路を実現でき、この通信線路の特性を、容易に、かつ安価に評価できることになる。
【発明の効果】
【００２７】
以上のように本発明によれば、通信線路の或る区間を、通信ケーブルに代えて、カッド撚り線を用いて評価するので、通信ケーブルを用いる場合に比べて、容易に、しかも安価に評価できることなる。しかも、カッド撚り線、すなわち、同一カッドで評価するので、漏話特性を最悪値で評価することができる。
【発明を実施するための最良の形態】
【００２８】
以下、本発明の実施の形態を、図面を参照して説明する。
【００２９】
図１は本発明の一実施形態の評価方法を適用した通信システムの概略構成図であり、上述の図５に対応する部分には、同一の参照符号を付す。
【００３０】
同図において、１はケーブルを整理して分配するための主配線盤（ＭＤＦ）、２は伝送装置であり、この伝送装置２は、高周波のデータ信号であるｘＤＳＬのデータ信号をアナログ信号に変調、復調するｘＤＳＬモデム（図示せず）などを内蔵している。主配線盤１および伝送装置２を含んで通信端末が構成されている。
【００３１】
この実施の形態の評価方法では、上述の図５に示されるような通信線路の評価に適用して説明する。
【００３２】
この通信線路は、図５に示されるように、中間部分を、好ましくは、既設の第１の通信ケーブル３−１で構成するとともに、両端部分を、第１の通信ケーブル３−１よりも漏話特性を改善した第２の通信ケーブル３−２で構成するものである。第１，第２の通信ケーブル３−１，３−２は、カッド撚りの多対のメタルケーブルである。これら通信ケーブル３−１，３−２には、電話回線などの既存の回線と共に、複数のｘＤＳＬの回線が収容されるものであり、この複数のｘＤＳＬの回線には、列車の運行に利用される鉄道回線が含まれている。なお、第２の通信ケーブル３−２は、例えば、カッドの撚りピッチを、第１の通信ケーブル３−１に比べて短くしたり、あるいは、撚りピッチを全て異ならせるといった従来公知の手法によって漏話特性を改善している。
【００３３】
このように、通信線路の両端部分を、漏話特性が改善された第２の通信ケーブル３−２とすることにより、漏れた信号が送信側に現れる近端漏話雑音を小さくして干渉を低減して伝送品質の劣化を改善するものである。しかも、中間部分は、既設の第１の通信ケーブル３−１をそのまま使用することによって、安価に施工できるものである。
【００３４】
この実施の形態では、このような通信線路の特性を評価するために、次のように構成している。
【００３５】
すなわち、この実施の形態の通信線路の評価方法では、図１に示されるように、通信線路の両端部分は、漏話特性が改善された第２の通信ケーブル３−２を用いるのに対して、中間部分は、第１の通信ケーブル３−１に代えてカッド撚り線４を用いており、接続部１１において、カッド撚り線４を、第２の通信ケーブル３−２の評価すべき回線に接続する。
【００３６】
このカッド撚り線４は、図２に示されるように、銅などの導体５とポリエチレン等の絶縁体６とからなる絶縁線心７の４本を集合させて対角線上にある絶縁線心７同士を対４ａ，４ｂとして星形に撚り合わせたものである。
【００３７】
漏話特性などを評価する際には、図３に示されるように、カッド撚り線４の各対４ａ，４ｂを、第２の通信ケーブル３−２の評価すべき２つの回線３−２ａ，３−２ｂにそれぞれ接続して行なう。
【００３８】
このように、第１の通信ケーブル３−１に代えて、ボビン８に巻回されたカッド撚り線４を用いるので、コンパクトになり、容易に、かつ、安価に特性を評価できることになる。
【００３９】
しかも、カッド撚り線４、すなわち、同一カッドで特性を評価するので、漏話特性を最悪の状態で評価できることになる。
【００４０】
また、近端漏話雑音が大きい通信線路の両端部分は、漏話特性を改善した通信ケーブル３−２をそのまま使用するので、正確な特性の評価が行なえる。
【００４１】
（その他の実施の形態）
上述の実施の形態では、通信線路の中間部分の通信ケーブルを、カッド撚り線で置き換えて評価したけれども、本発明は、中間部分に限らず、特性の異なる複数の通信ケーブルで構成される通信線路の少なくとも一部区間を、カッド撚り線で置き換えて特性を評価するものであればよい。
【図面の簡単な説明】
【００４２】
【図１】本発明の一実施形態の方法を適用したシステムの概略構成図である。
【図２】図１のカッド撚り線を示す図である。
【図３】図１のカッド撚り線と第２の通信ケーブルとの接続部を模式的に示す図である。
【図４】本願件出願人が提案している通信線路を評価するための方法を示す概略構成図である。
【図５】本願件出願人が提案している通信線路を示す概略構成図である。
【符号の説明】
【００４３】
１  主配線盤    ２  伝送装置    ３−１  第１の通信ケーブル
３−２  第２の通信ケーブル     ４  カッド撚り線  
【図１】
2005080328.tif 000003
【図２】
2005080328.tif 000004
【図３】
2005080328.tif 000005
【図４】
2005080328.tif 000006
【図５】
2005080328.tif 000007